(57)【特許請求の範囲】
【請求項１】
引戸に備えられ、レール上を転動する戸車を有する下框部材の改修方法であって、
引戸から既設の下框部材が取り除かれる下框部材除去工程と、
前記下框部材除去工程により既設の下框部材が取り除かれた引戸に対して、既設の下框部材とは異なる形状からなり、既設の下框部材に備えられている戸車よりも大径の戸車が備えられた新設の下框部材が取り付けられる下框部材取付工程とを含み、
前記下框部材取付工程では、既設の下框部材よりも高さ方向の寸法が大きい新設の下框部材が引戸に取り付けられることを特徴とする下框部材の改修方法。
【請求項２】
既設の下框部材は、ガラス板を保持しており、
前記下框部材除去工程により既設の下框部材が取り除かれた引戸において、既設の下框部材により保持されていたガラス板の端面が削り取られるガラス板切削工程をさらに含み、
前記下框部材取付工程では、前記ガラス板切削工程により削り取られた後のガラス板の端面を保持するように、既設の下框部材よりも高さ方向の寸法が大きい新設の下框部材が引戸に取り付けられることを特徴とする請求項１に記載の下框部材の改修方法。
【請求項３】
新設の下框部材には、戸車を回転可能に保持する保持部材と、前記保持部材に接触して戸車のがたつきを規制する規制部材とが備えられていることを特徴とする請求項１又は２に記載の下框部材の改修方法。
【請求項４】
新設の下框部材には、長手方向の端面側から工具を挿入して戸車の高さを調整可能な高さ調整機構が備えられていることを特徴とする請求項１〜３のいずれかに記載の下框部材の改修方法。
【発明の詳細な説明】
【技術分野】
【０００１】
本発明は、引戸に備えられ、レール上を転動する戸車を有する下框部材の改修方法に関するものである。
【背景技術】
【０００２】
アルミサッシなどからなる枠体を備えた引戸の一例として、レール上を転動する戸車が取り付けられた引戸が知られている。この種の引戸は、建物の壁などに形成された開口部に対してスライド可能に取り付けられ、当該引戸をスライドさせることにより開口部を開閉することができる。上記枠体は、例えば上框部材、下框部材、左框部材及び右框部材が枠組みされた構成であり、その内側にガラス板が保持されている。
【０００３】
下框部材に備えられている戸車は、長年の使用により劣化するため、改修が必要となる場合がある。このような改修方法の一例として、例えば既設の下框部材を取り外し、同一形状を有する新設の下框部材を取り付けるような方法が提案されている（例えば、下記特許文献１参照）。
【先行技術文献】
【特許文献】
【０００４】
【特許文献１】特許第５４６２０８２号公報
【発明の概要】
【発明が解決しようとする課題】
【０００５】
しかしながら、上記のような従来の改修方法では、単に下框部材の機能を新品と同程度に復帰させることができるに過ぎず、下框部材の機能を向上させることはできない。下框部材を改修する際には、既設の下框部材よりも耐久性や使用時の安定性などの機能が向上した下框部材への交換が望まれる場合もある。
【０００６】
本発明は、上記実情に鑑みてなされたものであり、下框部材の機能を向上させることができる下框部材の改修方法を提供することを目的とする。
【課題を解決するための手段】
【０００７】
（１）本発明に係る下框部材の改修方法は、引戸に備えられ、レール上を転動する戸車を有する下框部材の改修方法であって、下框部材除去工程と、下框部材取付工程とを含む。前記下框部材除去工程では、引戸から既設の下框部材が取り除かれる。前記下框部材取付工程では、前記下框部材除去工程により既設の下框部材が取り除かれた引戸に対して、既設の下框部材とは異なる形状からなり、既設の下框部材に備えられている戸車よりも大径の戸車が備えられた新設の下框部材が取り付けられる。
【０００８】
このような構成によれば、下框部材の改修を行う際に、引戸から既設の下框部材が取り除かれ、その既設の下框部材とは異なる形状からなる新設の下框部材が取り付けられる。新設の下框部材には、既設の下框部材に備えられている戸車よりも大径の戸車が備えられているため、より大きい重量に耐えられる耐久性の高い下框部材に交換することができる。したがって、本発明に係る方法により下框部材の改修を行えば、下框部材の機能を向上させることができる。
【０００９】
（２）既設の下框部材は、ガラス板を保持していてもよい。この場合、前記下框部材の改修方法は、前記下框部材除去工程により既設の下框部材が取り除かれた引戸において、既設の下框部材により保持されていたガラス板の端面が削り取られるガラス板切削工程をさらに含んでいてもよい。前記下框部材取付工程では、前記ガラス板切削工程により削り取られた後のガラス板の端面を保持するように、既設の下框部材よりも高さ方向の寸法が大きい新設の下框部材が引戸に取り付けられてもよい。
【００１０】
このような構成によれば、既設の下框部材よりも高さ方向の寸法が大きい新設の下框部材が引戸に取り付けられるため、大径の戸車を確実に収納し、安定して保持することができる。このような大型の下框部材に交換する場合でも、ガラス板の端面が削り取られた上で新設の下框部材が取り付けられるため、引戸の外形寸法に与える影響が少ない。したがって、引戸が取り付けられる枠体側において大きな寸法の変更が必要とならず、最小限の改修作業で下框部材の機能を向上させることができる。
【００１１】
（３）新設の下框部材には、戸車を回転可能に保持する保持部材と、前記保持部材に接触して戸車のがたつきを規制する規制部材とが備えられていてもよい。
【００１２】
このような構成によれば、戸車を保持する保持部材に対して規制部材が接触することにより、保持部材のがたつきを防止し、その結果、戸車のがたつきを防止することができる。大径の戸車はがたつきが生じやすいが、本発明のように規制部材を設けることにより、新設の下框部材における戸車のがたつきを防止し、下框部材の機能を効果的に向上させることができる。
【００１３】
（４）新設の下框部材には、長手方向の端面側から工具を挿入して戸車の高さを調整可能な高さ調整機構が備えられていてもよい。
【００１４】
このような構成によれば、新設の下框部材における戸車の高さ調整が、長手方向の端面側から工具を挿入して行われる。このような高さ調整機構により、戸車の回転軸を直接高さ調整するような従来の方法と比較して、より広い範囲で戸車の高さ調整を行うことが可能になるため、下框部材の機能を効果的に向上させることができる。
【発明の効果】
【００１５】
本発明によれば、より大きい重量に耐えられる耐久性の高い下框部材に交換することができるため、下框部材の機能を向上させることができる。
【図面の簡単な説明】
【００１６】
【図１】引き違い窓の保持構造の一例を示した内観図である。
【図２】引き違い窓の改修方法について説明するための概略図である。
【図３】外側引戸における新設の下框部材の部分側断面図である。
【図４】図３の下框部材におけるＡ−Ａ断面図である。
【発明を実施するための形態】
【００１７】
１．引き違い窓の保持構造
図１は、引き違い窓１の保持構造の一例を示した内観図である。引き違い窓１は、室内と室外とを区画するためのものであり、室内側に位置する内側引戸１１と、室外側に位置する外側引戸１２とからなる。本実施形態における内側引戸１１及び外側引戸１２は、それぞれ矩形状に枠組みされた框部材によりガラス板を保持する窓である。ただし、本発明は、２つの引戸１１，１２からなる引き違い窓１に限らず、１つ又は３つ以上の引戸にも適用することができる。
【００１８】
引き違い窓１は、建物の開口部２に取り付けられて、当該開口部２を閉塞する。開口部２は、例えば矩形状に形成されており、その内周縁に沿って矩形状の枠体３が取り付けられている。枠体３は、例えば上枠３１、下枠３２、右枠３３及び左枠３４が枠組みされることにより構成されている。
【００１９】
引き違い窓１を構成する内側引戸１１及び外側引戸１２は、枠体３内に嵌め込まれる。枠体３の上枠３１及び下枠３２には、それぞれ２本のレール（図示せず）が設けられており、一方のレールに内側引戸１１がスライド可能に保持されるとともに、他方のレールに外側引戸１２がスライド可能に保持される。したがって、枠体３のレールに沿って内側引戸１１又は外側引戸１２をスライドさせることにより、開口部２を開閉することができる。
【００２０】
２．引き違い窓の概略構成と改修方法
図２は、引き違い窓１の改修方法について説明するための概略図である。図２では、内側引戸１１及び外側引戸１２からなる引き違い窓１のうち、内側引戸１１の改修方法について説明するが、外側引戸１２も内側引戸１１と同様の部品により構成されており、本発明は、外側引戸１２の改修にも適用することができる。
【００２１】
図２（ａ）に示すように、内側引戸１１は、例えば上框部材１１１、下框部材１１２、左框部材１１３及び右框部材１１４が矩形状に枠組みされた構成であり、その内側にガラス板１１５が保持されている。下框部材１１２には、複数の戸車１１６が備えられており、引き違い窓１が枠体３に取り付けられた状態では、内側引戸１１を左右方向Ｄ１（上框部材１１１及び下框部材１１２が延びる方向）にスライドさせることにより、枠体３に設けられたレール上を戸車１１６が転動するようになっている。
【００２２】
本実施形態では、枠体３に取り付けられている既設の内側引戸１１（引き違い窓１）が枠体３から取り外され、この内側引戸１１に備えられている下框部材１１２（既設の下框部材１１２Ａ）に対する改修が行われる。具体的には、まず、図２（ｂ）に示すように、内側引戸１１から既設の下框部材１１２Ａが取り除かれる（下框部材除去工程）。
【００２３】
具体的には、既設の下框部材１１２Ａと、既設の左框部材１１３及び右框部材１１４とを連結するビスなどの連結具（図示せず）が取り外された後、既設の下框部材１１２Ａが引き抜かれる。このとき、既設の下框部材１１２Ａが取り除かれた内側引戸１１において、既設の下框部材１１２Ａにより保持されていたガラス板１１５の端面１１５Ａが露出することとなる。
【００２４】
その後、露出したガラス板１１５の端面１１５Ａが削り取られる（ガラス板切削工程）。図２（ｃ）に示すように、削り取られた後のガラス板１１５の端面１１５Ｂは、高さ方向Ｄ２（左框部材１１３及び右框部材１１４が延びる方向）の寸法が長さＨだけ短くなる。
【００２５】
削り取られた後のガラス板１１５の端面１１５Ｂには、図２（ｄ）に示すように、既設の下框部材１１２Ａとは異なる形状からなる新設の下框部材１１２Ｂが取り付けられる。具体的には、ガラス板１１５の端面１１５Ｂを保持するように新設の下框部材１１２Ｂが嵌め込まれた後、新設の下框部材１１２Ｂと、既設の左框部材１１３及び右框部材１１４とを連結するビスなどの連結具（図示せず）が取り付けられる。
【００２６】
新設の下框部材１１２Ｂは、既設の下框部材１１２Ａよりも長さＨだけ高さ方向Ｄ２の寸法が大きい。したがって、新設の下框部材１１２Ｂが取り付けられた状態では、新設の下框部材１１２Ｂの下端面の位置が、既設の下框部材１１２Ａの下端面の位置と同一又は略同一となる。
【００２７】
新設の下框部材１１２Ｂには、複数の戸車１１７が備えられている。これらの戸車１１７は、既設の下框部材１１２Ａに備えられている戸車１１６よりも大径である。戸車１１７は、例えば直径が３０〜４０ｍｍ、より具体的には３８ｍｍ程度である。新設の下框部材１１２Ｂが取り付けられた後の内側引戸１１は、枠体３に取り付けられ、これにより改修作業が完了する。改修後の内側引戸１１が左右方向Ｄ１にスライドされたときには、枠体３に設けられたレール上を戸車１１７が転動することとなる。
【００２８】
このように、本実施形態では、下框部材１１２の改修を行う際に、内側引戸１１から既設の下框部材１１２Ａが取り除かれ、その既設の下框部材１１２Ａとは異なる形状からなる新設の下框部材１１２Ｂが取り付けられる。新設の下框部材１１２Ｂには、既設の下框部材１１２Ａに備えられている戸車１１６よりも大径の戸車１１７が備えられているため、より大きい重量に耐えられる耐久性の高い下框部材１１２Ｂに交換することができる。したがって、本実施形態に係る方法により下框部材１１２の改修を行えば、下框部材１１２の機能を向上させることができる。
【００２９】
また、本実施形態では、既設の下框部材１１２Ａよりも高さ方向Ｄ２の寸法が大きい新設の下框部材１１２Ｂが内側引戸１１に取り付けられるため、大径の戸車１１７を確実に収納し、安定して保持することができる。このような大型の下框部材１１２Ｂに交換する場合でも、ガラス板１１５の端面１１５Ａが削り取られた上で新設の下框部材１１２Ｂが取り付けられるため、内側引戸１１の外形寸法に与える影響が少ない。したがって、内側引戸１１が取り付けられる枠体３側において大きな寸法の変更が必要とならず、最小限の改修作業で下框部材１１２の機能を向上させることができる。
【００３０】
３．引き違い窓の具体的構成
図３は、外側引戸１２における新設の下框部材１１２Ｂの部分側断面図である。図４は、図３の下框部材１１２ＢにおけるＡ−Ａ断面図である。なお、図３では、下框部材１１２Ｂの一方の端部の構成についてのみ説明するが、下框部材１１２Ｂの他方の端部にも同様の構成が備えられている。また、図３及び図４では、内側引戸１１及び外側引戸１２からなる引き違い窓１のうち、外側引戸１２における新設の下框部材１１２Ｂの具体的構成についてのみ説明するが、内側引戸１１にも外側引戸１２と同様の具体的構成を有する新設の下框部材１１２Ｂが取り付けられる。
【００３１】
下框部材１１２Ｂは、水平方向に沿って長尺な形状を有する框本体２０を備えている。この框本体２０は、例えばアルミニウムを材料とした押出成形により一体的に形成することができる。框本体２０は、互いに平行に延びる１対の側板部２１を備えており、これらの１対の側板部２１が間隔を隔てて連結されることにより、中空状に形成されている。ただし、框本体２０の材料としては、アルミニウムに限らず、他のあらゆる材料を採用することができる。また、框本体２０は、押出成形により一体的に形成されるものに限らず、例えば組み立てられるような構成などであってもよい。
【００３２】
この例では、１対の側板部２１の下部が、水平方向に延びる下板部２２により連結されるとともに、１対の側板部２１の上部が、水平方向に延びる上板部２３により連結されている。下板部２２における長手方向の両端部には、それぞれ開口２５が形成されている。框本体２０内における開口２５の上方の領域は、戸車１１７を取り付けるための戸車取付部２６を構成している。当該戸車取付部２６には、戸車１１７を回転可能に保持する保持部材１３が備えられている。
【００３３】
１対の側板部２１と下板部２２とにより框本体２０の下部に形成された断面Ｕ字状の部分は、下方からレールを受け入れるためのレール受入部２７を構成している。また、１対の側板部２１と上板部２３とにより框本体２０の上部に形成された断面Ｕ字状の部分は、上方からガラス板１１５を受け入れるためのガラス板受入部２８を構成している。上板部２３の上面には、ガラス板１１５の端面１１５Ｂを受けるガラスライナー２３１が貼り付けられている。一方の側板部２１の下端部には、図４に示すように、シール材１４を取り付けるための爪部２９が、長手方向の一端部から他端部まで延びるように形成されている。
【００３４】
保持部材１３は、框本体２０に固定される固定部１３１と、固定部１３１に対して揺動可能に取り付けられた揺動部１３２とが備えられている。戸車１１７は、前後方向に延びる回転軸１３３により、揺動部１３２に回転可能に取り付けられている。また、揺動部１３２は、回転軸１３３に対して平行に延びる揺動軸１３４により、固定部１３１に揺動可能に取り付けられている。
【００３５】
固定部１３１は、ビスなどからなる固定具１３５により、框本体２０に固定されている。固定部１３１には、同じくビスなどからなる調整具１３６が取り付けられており、当該調整具１３６が接触位置Ｐにおいて揺動部１３２に接触している。調整具１３６は、揺動軸１３４に対して交差する方向、例えば直交方向に変位可能となっている。この例では、調整具１３６を回転させることにより、調整具１３６が軸線方向に変位し、当該調整具１３６に接触している揺動部１３２が揺動軸１３４を中心に揺動するようになっている。その結果、揺動部１３２に取り付けられている戸車１１７の高さを調整することができる。すなわち、揺動部１３２及び調整具１３６などは、戸車１１７の高さを調整可能な高さ調整機構１３７を構成している。
【００３６】
図３に示すように、高さ調整機構１３７を用いて戸車１１７の高さ調整を行う際には、下框部材１１２Ｂに対して長手方向の端面側（左端面側又は右端面側）から、ドライバーなどの工具４が框本体２０内に挿入される。そして、工具４を調整具１３６に接触させて回転させることにより、揺動部１３２を揺動させて戸車１１７の高さを調整することができる。このような高さ調整機構１３７により、戸車の回転軸を直接高さ調整するような従来の方法と比較して、より広い範囲で戸車１１７の高さ調整を行うことが可能になるため、下框部材１１２の機能を効果的に向上させることができる。
【００３７】
また、図４に示すように、各側板部２１の内面（戸車１１７に対向する面）には、戸車１１７側に向かって突出する凸部２１１が形成されている。これらの凸部２１１は、保持部材１３に対向する位置、より具体的には揺動部１３２に対向する位置に設けられており、各凸部２１１の先端が揺動部１３２に接触又は近接している。これにより、各凸部２１１は、保持部材１３（揺動部１３２）に接触して戸車１１７のがたつきを規制する規制部材を構成している。すなわち、戸車１１７を保持する保持部材１３に対して各凸部２１１が接触することにより、保持部材１３のがたつきを防止し、その結果、戸車１１７のがたつきを防止することができる。大径の戸車１１７はがたつきが生じやすいが、本実施形態のように各凸部２１１を設けることにより、新設の下框部材１１２Ｂにおける戸車１１７のがたつきを防止し、下框部材１１２Ｂの機能を効果的に向上させることができる。
【００３８】
以上の実施形態では、図２に示すように、ガラス板１１５の端面１１５Ａを削り取った後に、削り取られた後のガラス板１１５の端面１１５Ｂを保持するように、新設の下框部材１１２Ｂが取り付けられるような構成について説明した。しかし、このような構成に限らず、既設の下框部材１１２Ａが取り除かれた後のガラス板１１５の端面１１５Ａが、そのまま新設の下框部材１１２Ｂにより保持されるような構成であってもよい。この場合、新設の下框部材１１２Ｂが、既設の下框部材１１２Ａに備えられている戸車１１６よりも大径の戸車１１７を備えていればよい。
【００３９】
保持部材１３に接触して戸車１１７のがたつきを規制する規制部材は、各側板部２１の内面から突出する凸部２１１により構成されるものに限らず、保持部材１３に接触する他の任意の構成であってもよい。また、規制部材は、保持部材１３に接触可能なものであれば、揺動部１３２に接触又は近接するような構成に限られるものではなく、保持部材１３の構成についても、固定部１３１と揺動部１３２とを備えた構成に限られるものではない。
【００４０】
高さ調整機構１３７は、下框部材１１２Ｂに対して長手方向の端面側から工具４を挿入して戸車１１７の高さを調整可能な構成であれば、揺動部１３２及び調整具１３６などにより構成されるものに限らない。また、工具４は、ドライバーに限らず、他の専用又は汎用の工具４が用いられてもよい。
【符号の説明】
【００４１】
１  引き違い窓
２  開口部
３  枠体
４  工具
１１  内側引戸
１２  外側引戸
１３  保持部材
１４  シール材
２０  框本体
２１  側板部
２２  下板部
２３  上板部
２５  開口
２６  戸車取付部
２７  レール受入部
２８  ガラス板受入部
２９  爪部
３１  上枠
３２  下枠
３３  右枠
３４  左枠
１１１  上框部材
１１２  下框部材
１１２Ａ  既設の下框部材
１１２Ｂ  新設の下框部材
１１３  左框部材
１１４  右框部材
１１５  ガラス板
１１５Ａ，１１５Ｂ  端面
１１６，１１７  戸車
１３１  固定部
１３２  揺動部
１３３  回転軸
１３４  揺動軸
１３５  固定具
１３６  調整具
１３７  高さ調整機構
２１１  凸部
【図１】
0006594844.tif 000002
【図２】
0006594844.tif 000003
【図３】
0006594844.tif 000004
【図４】
0006594844.tif 000005